(57)【要約】【課題】ハウジングベースに対してカバーを取り付ける際の作業性向上に寄与することができる分電盤のハウジングを提供する。【解決手段】分電盤のハウジングは、有底筒状のハウジングベース１２及び該ハウジングベース１２の開口部１２ａを塞ぐハウジングカバー１３で構成される収容空間内に、ブレーカを収容可能に構成される。ハウジングベース１２及びハウジングカバー１３の左右方向の短尺側板部２４，３４に、ハウジングベース１２に対してハウジングカバー１３を取り付ける取付部３５を有する。【選択図】図９
2015201977.tif 000002
【特許請求の範囲】
【請求項１】
有底筒状のハウジングベースと該ハウジングベースの開口部を塞ぐカバーとで構成される収容空間内に、ブレーカを収容可能な分電盤のハウジングであって、
前記ハウジングベース及び前記カバーの左右方向の側板部に、前記ハウジングベースに対して前記カバーを取り付ける取付部を有することを特徴とする分電盤のハウジング。
【請求項２】
請求項１に記載の分電盤のハウジングにおいて、
前記ハウジングベースの筒状部は、底部から延出される４つの側板部が一体形成されて構成されるとともに、前記筒状部の側板部から外側に突出する突起を備え、
前記突起は、前記カバーと前記ハウジングベースとを組み付けた際に前記カバーの筒状部よりも外側に延出する長さを有することを特徴とする分電盤のハウジング。
【請求項３】
請求項２に記載の分電盤のハウジングにおいて、
前記カバーの筒状部は、前記カバーと前記ハウジングベースとを組み付けた際に前記突起と干渉しないように凹部を有することを特徴とする分電盤のハウジング。
【請求項４】
請求項１〜３のいずれか一項に記載の分電盤のハウジングと、前記分電盤のハウジングに収容されるブレーカとを備えたことを特徴とする分電盤。
【発明の詳細な説明】
【技術分野】
【０００１】
本発明は、内部にブレーカを収容する分電盤のハウジングと、ハウジングを備えた分電盤に関するものである。
【背景技術】
【０００２】
従来、分電盤は、主幹ブレーカや主幹ブレーカに接続された主幹電路から分岐して電気機器に電力を供給する分岐電路にそれぞれ設けられた複数の分岐ブレーカ等の内部機器と、内部機器が収容されるハウジングとを有して構成される（例えば特許文献１参照）。
【０００３】
このような分電盤のハウジングは、ハウジングベースと、前記ハウジングベースの開口部を塞ぐカバーとを有する。そして、ハウジングベースとカバーとで形成された収容空間内に前記内部機器が収容される。
【０００４】
このようなハウジングベースは、矩形板状の底板（底部）と、底板の縁部（外周部）から底板の板面と略直交する方向に延出する４つの側板とで略有底矩形筒状に形成される。また、カバーは、矩形板状の底板（底部）と、底板の縁部から底板の板面と略直交する方向に延出する４つの側板とで略有底矩形筒状に形成される。
【０００５】
ここで、ハウジングベース及びカバーは、分電盤を壁面に設置した際に、天井側となる側板と、床側（反天井側）となる側板とのそれぞれにハウジングベースとカバーとを固定する固定部を有する。これによって、ハウジングベースからカバーが脱落することが抑えられている。
【先行技術文献】
【特許文献】
【０００６】
【特許文献１】特開２００９−２６８２５２号公報
【発明の概要】
【発明が解決しようとする課題】
【０００７】
ところで、上記のような分電盤のハウジングは、予め、壁面に対してハウジングベースを取り付け、その後にカバーをハウジングベースに取り付けることとなる。このため、例えば、ハウジングベースを壁面に取り付ける際に天井面に近接配置すると、カバーが取り付けにくくなり作業性の悪化を招く虞がある。
【０００８】
本発明は、上記課題を解決するためになされたものであって、その目的は、ハウジングベースに対してカバーを取り付ける際の作業性向上に寄与することができる分電盤のハウジング及び分電盤を提供することにある。
【課題を解決するための手段】
【０００９】
上記課題を解決するために、分電盤のハウジングは、有底筒状のハウジングベースと該ハウジングベースの開口部を塞ぐカバーとで構成される収容空間内に、ブレーカを収容可能な分電盤のハウジングであって、前記ハウジングベース及び前記カバーの左右方向の側板部に、前記ハウジングベースに対して前記カバーを取り付ける取付部を有することを特徴とする。
【００１０】
また上記構成において、前記ハウジングベースの筒状部は、底部から延出される４つの側板部が一体形成されて構成されるとともに、前記筒状部の側板部から外側に突出する突起を備え、前記突起は、前記カバーと前記ハウジングベースとを組み付けた際に前記カバーの筒状部よりも外側に延出する長さを有することが好ましい。
【００１１】
また上記構成において、前記カバーの筒状部は、前記カバーと前記ハウジングベースとを組み付けた際に前記突起と干渉しないように凹部を有することが好ましい。
また、上記課題を解決するために、分電盤は、上記いずれかの構成の分電盤のハウジングと、前記分電盤のハウジングに収容されるブレーカとを備えたことを特徴とする。
【発明の効果】
【００１２】
本発明の分電盤のハウジング及び分電盤によれば、ハウジングベースに対してカバーを取り付ける際の作業性向上に寄与することができる。
【図面の簡単な説明】
【００１３】
【図１】実施形態におけるドアを閉じた状態の分電盤の斜視図である。
【図２】同上におけるドアを開けた状態における分電盤の斜視図である。
【図３】同上におけるドアを省略した状態における分電盤の斜視図である。
【図４】（ａ）は同上におけるハウジングの正面図であり、（ｂ）は（ａ）の部分拡大図である。
【図５】（ａ）は同上におけるハウジングの側面図であり、（ｂ）は（ａ）の部分拡大図である。
【図６】同上におけるハウジングベースの平面図である。
【図７】同上におけるハウジングカバーの平面図である。
【図８】同上におけるハウジングベースとハウジングカバーとの取付時に利用するスライド部材を説明するための斜視図である。
【図９】同上におけるハウジングベースとハウジングカバーとの取付状態を示す斜視図である。
【図１０】同上におけるハウジングベースとハウジングカバーとの取付時に利用するスライド部材の斜視図である。
【図１１】同上におけるハウジングベースとハウジングカバーとの取付状態を説明するためのハウジングカバーの斜視図である。
【図１２】同上におけるハウジングベースとハウジングカバーとの取付状態を説明するためのハウジングベースの斜視図である。
【発明を実施するための形態】
【００１４】
以下、分電盤の一実施形態を図面に従って説明する。
図１〜図３に示すように本実施形態の分電盤１０は、収容空間を有するハウジング１１と、ハウジング１１の収容空間内に収容される主幹ブレーカ５２や分岐ブレーカ５３等の内部収容品５１とを有する。なお、以下の説明において、分電盤１０を住宅の壁面に取り付けを行った際の鉛直方向を分電盤の上下方向、前記壁面と直交する方向を分電盤１０の前後方向、上下方向及び前後方向と直交する方向を分電盤１０の左右方向として説明を行う。また、一部の図においては矢印付きで各方向を示している。
【００１５】
図２及び図３に示すように、ハウジング１１は、有底矩形筒状のハウジングベース１２と、ハウジングベース１２の開口部１２ａを覆う有底矩形筒状のハウジングカバー１３とを有する。
【００１６】
図３及び図６に示すように、ハウジングベース１２は、底部２１と、底部２１の縁部から延出する矩形筒状部２２とを有して有底矩形筒状をなすよう構成される。
図３及び図６に示すように、ハウジングベース１２の底部２１は、その略中央に略矩形状に形成された電線挿通用の挿通孔２１ａが開口している。底部２１には前記挿通孔２１ａを挟んで上下両側のそれぞれに、複数のガイド孔２１ｂが左右方向に複数並設される。ガイド孔２１ｂは挿通孔２１ａの上側と下側との両方に同数個形成されている。
【００１７】
図３及び図６に示すように、ハウジングベース１２の矩形筒状部２２は、底部２１の縁部から延出する４つの側板部２３，２４によって構成される。矩形筒状部２２は、前記底部２１とは反対側の端部が開口部１２ａとなっている。矩形筒状部２２を構成する４つの側板部２３，２４は、左右方向に延びる２つ長尺側板部２３と、上下方向に延びる２つの短尺側板部２４とで構成される。
【００１８】
図５（ａ）及び図６に示すように、２つの長尺側板部２３のうちの相対的に上方向に位置する長尺側板部２３は、その外側面において板面と直交する方向に突出する突起２３ｔを長手方向両側にそれぞれ１個（計２個）有する。
【００１９】
図４（ａ）、図５（ａ）及び図６に示すように、矩形筒状部２２を構成する各側板部２４は、その外側面において板面と直交する方向に突出する突起２４ｔを長手方向両側にそれぞれ１個（計２個）有する。側板部２３の突起２３ｔの突出方向と側板部２４の突起２４ｔの突出方向は略直交する関係となっている。
【００２０】
図４（ｂ）及び図５（ｂ）に示すように、各側板部２３，２４の各突起２３ｔ，２４ｔは、ハウジングベース１２にハウジングカバー１３を組み付けた際に、ハウジングカバー１３よりも左右方向又は上下方向において外側に突出する長さを有する。
【００２１】
図３及び図７に示すように、ハウジングカバー１３は、底部３１と、底部３１の縁部から延出する矩形筒状部３２とを有して有底矩形筒状をなすように構成される。
図３及び図７に示すように、ハウジングカバー１３の底部３１は、その略中央に略矩形状に形成された開口部３１ａを有する。この開口部３１ａには、開口部３１ａを挟んで上下両側のそれぞれに、上下方向に延出する延出片３１ｂが左右方向に複数並設される。この延出片３１ｂには、主幹ブレーカ用カバーＣ１や分岐ブレーカ用カバーＣ２などの各種カバーが取り付けられるようになっている。
【００２２】
図７に示すように、ハウジングカバー１３の矩形筒状部３２は、底部３１の縁部から延出する４つの側板部３３，３４によって構成される。矩形筒状部３２は、前記底部３１とは反対側の端部が開口部３２ａとなっている。矩形筒状部３２を構成する４つの側板部３３，３４は、左右方向に延びる２つ長尺側板部３３と、上下方向に延びる２つの短尺側板部３４とで構成される。
【００２３】
図６及び図７に示すように、底部３１の上下方向の端部から延出する２つの長尺側板部３３は、その内面間の長さ（内寸）Ｄｂ１が、ハウジングベース１２側の２つの長尺側板部２３の外面間の長さ（外寸）Ｄａ１よりも長く設定される。また、底部３１の左右方向の端部から延出する２つの短尺側板部３４は、その内面間の長さ（内寸）Ｄｂ２が、ハウジングベース１２側の２つの短尺側板部２４の外面間の長さ（外寸）Ｄａ２よりも長く設定される。このため、ハウジングカバー１３の矩形筒状部３２は、ハウジングベース１２の矩形筒状部２２よりも開口面積が一回り広い構成とされる。これにより、ハウジングカバー１３は、その底部３１がハウジングベース１２の底部２１と対向する方向においてハウジングベース１２に対して組み付けることで、矩形筒状部３２がハウジングベース１２の矩形筒状部２２の周囲を覆うこととなる。このため、分電盤１０を左右方向又は上下方向から見た時にハウジングカバー１３の矩形筒状部３２がハウジングベース１２の矩形筒状部２２と重なるようになっている。例えばハウジングベース１２の矩形筒状部とハウジングカバー１３の矩形筒状部とを突きあわせた状態と比較して、左右方向や上下方向から見た時に隙間が生じることが抑えられている。
【００２４】
図７に示すように２つの長尺側板部３３のうちの相対的に上方向に位置する長尺側板部３３は、先端側（反底部３１側であり、前後方向において後ろ側）から基端側にかけて凹状をなすように形成される凹部３３ｔを長手方向両側にそれぞれ１個（計２個）有する。
【００２５】
図５（ａ）及び図７に示すように、矩形筒状部３２を構成する各短尺側板部３４は、先端側（反底部３１側であり、前記前後方向において後ろ側）から基端側にかけて凹状をなすように形成される凹部３４ｔを長手方向両側にそれぞれ１個（計２個）有する。各凹部３３ｔ，３４ｔは、ハウジングベース１２とハウジングカバー１３とを組み付けた際に、前記突起２３ｔ，２４ｔを嵌入可能な位置に形成されている。このため、凹部３３ｔ，３４ｔは、ハウジングベース１２とハウジングカバー１３とを組み付けた際に前記突起２３ｔ，２４ｔと干渉しないようになっている。また、凹部３３ｔ，３４ｔによって相対的に突起２３ｔ，２４ｔの突出量が減ることとなり、突起２３ｔ，２４ｔの極端な飛び出しが抑えられている。
【００２６】
図２に示すように、ハウジングカバー１３の底部３１を構成する前面３１ｃには、ハウジングカバー１３の前面３１ｃを覆うドア１４が開閉（回動）可能に設けられる。これによって、必要に応じてドア１４を開けることで主幹ブレーカ５２のハンドル５２ａや分岐ブレーカ５３のハンドル５３ａが露出され、操作可能となっている。また、ドア１４を閉じることで、主幹ブレーカ５２や分岐ブレーカ５３を隠すことが可能となっている。
【００２７】
次に、ハウジングベース１２とハウジングカバー１３との組み付けについて説明する。
図８及び図９に示すように、ハウジングベース１２とハウジングカバー１３とは、左右方向両側の短尺側板部２４に設けられる取付部３５によって取り付け固定されている。各取付部３５は、略同一構成であるため、一方のみについて説明し、他方の詳細な説明を割愛する。
【００２８】
図８及び図９に示すように、取付部３５は、ハウジングカバー１３に設けられるスライド部材３６と、スライド部材３６と係合するハウジングベース１２のベース側係合部２４ａとを有する。
【００２９】
図９及び図１０に示すように、スライド部材３６は、スライド支持部３７と、ハウジングカバー１３と係合する第１係合部３８と、ハウジングベース１２と係合する第２係合部３９と、施工者や居住者等が操作可能な操作部４０とを有する。
【００３０】
図１０に示すように、スライド支持部３７は、コイルばねＳを収容可能且つ上方向が開口された収容部３７ａを有する。収容部３７ａは、その側面に左右方向に開口されたスリット３７ｂが形成される。スリット３７ｂは、ハウジングカバー１３の短尺側板部３４の内面から左右方向内側に延出する延出片３４ａが挿通可能とされる。このとき、延出片３４ａは、前記収容部３７ａの開口側に位置し、収容部３７ａに収容されたコイルばねＳと当接し、延出片３４ａとスライド支持部３７との間でコイルばねＳによる付勢力が上下方向に発生するようになっている。このため、スライド部材３７をハウジングカバー１３に対して相対的に上方向にスライドさせると、スライド部材３７に対する下方向への付勢力が大きくなる。そして、スライド部材３７のスライド操作をやめると前記コイルばねＳの付勢力によってスライド部材３７が下方向に移動されて所定位置まで移動することとなる。
【００３１】
図９〜図１１に示すように、第１係合部３８は、前述したようにハウジングカバー１３と係合するものである。第１係合部３８は、ハウジングカバー１３の短尺側板部３４の内面から左右方向内側に延出するカバー側係合部３４ｂと前後方向において係合するようになっている。第１係合部３８及びカバー側係合部３４ｂはスライド部材３７のスライド方向（上下方向）においてスライド部材３７の移動距離以上の長さを有して係合しているため、スライド部材３７がスライド移動しても係合状態が継続するようになっている。
【００３２】
図９、図１０及び図１２に示すように、第２係合部３９は、前述したようにハウジングベース１２と係合するものである。第２係合部３９は、ハウジングベース１２の短尺側板部２４の内面から左右方向内側に延出するベース側係合部２４ａと前後方向において係合することでハウジングベース１２と係合する。これによって、スライド部材３６が意図せずハウジングベース１２から脱落することが抑えられている。第２係合部３９及びベース側係合部２４ａはスライド部材３７のスライド方向（上下方向）においてスライド部材３７の移動距離未満の長さを有して係合しているため、スライド部材３７がスライド移動することで、係合状態が解除するようになっている。このため、スライド部材３７を上方向にスライド移動させることで、ハウジングベース１２（ベース側係合部２４）とスライド部材３７との係合状態が解除され、ハウジングベース１２からハウジングカバー１３を取り外すことが可能となっている。
【００３３】
次に、本実施形態の分電盤の作用を説明する。
本実施形態の分電盤１０は、住宅内の所定の壁に取り付ける際、先ずハウジングベース１２を取り付けた後にハウジングカバー１３をハウジングベース１２に組み付けることとなる。ハウジングベース１２を壁に取り付ける際、ハウジングベース１２の矩形筒状部２２に形成された各突起２３ｔ，２４ｔによって左右方向に位置する住宅の壁や上方向に位置する天井と突起２３ｔ，２４ｔ分だけハウジングベース１２の側板部２３，２４が離間する。これによって、ハウジングカバー１３をハウジングベース１２に組み付ける際に、ハウジングカバー１３が天井や住宅の壁に干渉することが抑えられている。
【００３４】
ハウジングカバー１３をハウジングベース１２に組み付ける際、スライド部材３７をハウジングカバー１３とともにハウジングベース１２（底部２１）と接近させると、スライド部材３７の第２係合部３９がベース側係合部２４ａと前後方向において当接する。このとき、スライド部材３７の第２係合部３９はベース側係合部２４ａよりも前方に位置し、第２係合部３９とベース側係合部２４ａとは係合していない状態である。さらに、スライド部材３７をハウジングカバー１３とともにハウジングベース１２（底部２１）と接近させると、スライド部材３７がコイルばねＳに抗して上方向にスライドし、第２係合部３９がベース側係合部２４ａを乗り越える。これによって、第２係合部３９がベース側係合部２４ａよりも後方に位置し、第２係合部３９とベース側係合部２４ａとが前後方向において係合し、ハウジングベース１２に対してハウジングカバー１３が組み付けられる。
【００３５】
次に、本実施形態の効果を記載する。
（１）ハウジングベース１２及びハウジングカバー１３の左右方向の短尺側板部２４，３４に、ハウジングベース１２に対してハウジングカバー１３を取り付ける取付部３５を有する。分電盤１０の上方向に位置する天井と取付部３５とが十分に離間されるため、天井によって作業が阻害されることが抑えられ、ハウジングカバー１３をハウジングベース１２に取り付ける際の作業性向上に寄与できる。
【００３６】
（２）突起２３ｔ，２４ｔは、ハウジングカバー１３とハウジングベース１２とを組み付けた際にハウジングカバー１３の矩形筒状部３２よりも外側に突出する長さを有する。これによって、ハウジングカバー１３をハウジングベース１２に組み付ける際に、ハウジングベース１２を十分に天井や壁から離間させることができる。これによって、ハウジングカバー１３が天井や壁と干渉することを抑え、ハウジングカバー１３がハウジングベース１２に組み付けられないといった問題の発生を抑えることができる。
【００３７】
（３）ハウジングカバー１３の矩形筒状部３２は、ハウジングカバー１３とハウジングベース１２とを組み付けた際に前記突起２３ｔ，２４ｔと干渉しないように前記突起２３ｔ，２４ｔと対応する位置に凹部３３ｔ，３４ｔを有する。これによって、ハウジングカバー１３の矩形筒状部３２が突起２３ｔ，２４ｔと干渉することが抑えられる。
【００３８】
なお、上記実施形態は、以下のように変更してもよい。
・上記実施形態では、取付部３５として上下方向にスライド移動するスライド部材３６とスライド部材３６が前後方向において係合するベース側係合部２４ａとを有する構成としたが、これに限らない。取付部３５がハウジングベース１２及びハウジングカバー１３の左右方向両側の短尺側板部２４，３４に設けられ、ハウジングベース１２に対してハウジングカバー１３を取り付ける箇所が左右方向であれば取付部３５の構成は適宜変更してもよい。例えば、スライド移動でなく回動等によってハウジングカバー１３をハウジングベース１２に取り付ける構成を採用してもよい。
【００３９】
・上記実施形態では、ハウジングベース１２に突起２３ｔ，２４ｔを設ける構成としたが省略した構成を採用してもよい。この場合、ハウジングカバー１３の凹部３３ｔ，３４ｔは省略してもよい。
【００４０】
・上記実施形態では、一方の長尺側板部２３と２つの短尺側板部２４とのそれぞれに２つの突起２３ｔ，２４ｔを設けたが、その数は任意に変更してもよい。この際、ハウジングカバー１３の凹部３３ｔ，３４ｔは、前記突起２３ｔ，２４ｔと同数であることが好ましい。
【００４１】
・上記実施形態では、ハウジングカバー１３に突起２３ｔ，２４ｔとの干渉を避ける凹部３３ｔ，３４ｔを形成したが、例えば予めハウジングカバー１３と干渉しない位置に突起２３ｔ，２４ｔが形成される場合には凹部３３ｔ，３４ｔを省略してもよい。
【００４２】
・上記実施形態では、ハウジングベース１２及びハウジングカバー１３を有底矩形筒状としたが、有底筒状であれば適宜変更してもよい。ただし、ハウジングベース１２の矩形筒状部２２及びハウジングカバー１３の矩形筒状部３２は類似形状であることが好ましい。
【００４３】
・上記実施形態並びに上記変形例は適宜組み合わせてもよい。
【符号の説明】
【００４４】
１０…分電盤、１１…ハウジング、１２…ハウジングベース、１２ａ…開口部、１３…ハウジングカバー（カバー）、２２…矩形筒状部（筒状部）、２３…長尺側板部（側板部）、２３ｔ…突起、２４…短尺側板部（側板部）、２４ａ…取付部を構成するベース側係合部、２４ｔ…突起、３２…矩形筒状部（筒状部）、３３ｔ，３４ｔ…凹部、３５…取付部、３６…取付部を構成するスライド部材、５２…主幹ブレーカ（ブレーカ）、５３…分岐ブレーカ（ブレーカ）、Ｄａ１，Ｄａ２，Ｄｂ１，Ｄｂ２…長さ。
【図１】
2015201977.tif 000003
【図２】
2015201977.tif 000004
【図３】
2015201977.tif 000005
【図４】
2015201977.tif 000006
【図５】
2015201977.tif 000007
【図６】
2015201977.tif 000008
【図７】
2015201977.tif 000009
【図８】
2015201977.tif 000010
【図９】
2015201977.tif 000011
【図１０】
2015201977.tif 000012
【図１１】
2015201977.tif 000013
【図１２】
2015201977.tif 000014